(57)【要約】【課題】エキサイタコイルを電源としてコントローラに与える電源電圧を出力する電源回路の出力電圧が確立する回転速度を低くし、かつ機関の高速時に点火性能が低下するのを防ぐことができるようにしたコンデンサ放電式内燃機関用点火装置を提供する。【解決手段】エキサイタコイルの負の半波の出力電圧が逆流阻止用ダイオード２６と電流制限用抵抗器２７とを通して印加された電源コンデンサ２８と、電源コンデンサの両端に接続されたツェナーダイオード２９と、エキサイタコイルが負の半波の出力電圧を発生した時にトリガされて導通するサイリスタ３６及び逆流阻止用ダイオード３３を通して電流制限用抵抗器２７の両端に並列接続された電流制限用抵抗器３４と、オフ指令が与えられるまでの間サイリスタ３６の導通を許容し、オフ指令が与えられた時にサイリスタ３６の導通を禁止するように制御するスイッチ制御回路３５とにより電源回路２５を構成した。【選択図】    図１
2005188311.tif 000002
【特許請求の範囲】
【請求項１】
内燃機関により駆動される磁石発電機内に設けられたエキサイタコイルと、点火コイルの一次側に設けられて前記エキサイタコイルの一方の極性の半波の出力電圧で充電される点火用コンデンサと、点火信号が与えられたときに導通して前記点火用コンデンサに蓄積された電荷を前記点火コイルの一次コイルを通して放電させるように設けられた放電用スイッチと、前記内燃機関の点火位置で前記放電用スイッチに点火信号を与えるコントローラと、前記エキサイタコイルの他方の極性の半波の出力電圧を一定の直流電圧に変換する電源回路とを備えて、前記電源回路から前記コントローラに電源電圧が与えられるコンデンサ放電式内燃機関用点火装置において、
前記電源回路は、前記エキサイタコイルの他方の極性の半波の出力電圧が第１の逆流阻止用ダイオードと第１の電流制限用抵抗器とを通して印加された電源コンデンサと、前記電源コンデンサの両端に接続されて前記電源コンデンサの両端の電圧が設定値を超えたときに導通するツェナーダイオードと、前記エキサイタコイルが他方の極性の半波の出力電圧を発生したときに駆動信号が与えられてオン状態になるインピーダンス切換用スイッチと第２の逆流阻止用ダイオードとを通して前記第１の電流制限用抵抗器の両端に並列に接続された第２の電流制限用抵抗器と、オフ指令が与えられるまでの間前記インピーダンス切換用スイッチに駆動信号が与えられるのを許容し、オフ指令が与えられたときに前記インピーダンス切換用スイッチへの駆動信号の供給を禁止するように前記インピーダンス切換用スイッチへの駆動信号の供給を制御するスイッチ制御回路とを具備し、
前記スイッチ制御回路にオフ指令を与えることにより、前記エキサイタコイルから前記電源回路を見たインピーダンスを低い値から高い値に切り換えることができるように構成されていること、
を特徴とするコンデンサ放電式内燃機関用点火装置。
【請求項２】
前記インピーダンス切換用スイッチはサイリスタからなっている請求項１に記載のコンデンサ放電式内燃機関用点火装置。
【請求項３】
前記インピーダンス切換用スイッチはＦＥＴからなっている請求項１に記載のコンデンサ放電式内燃機関用点火装置。
【請求項４】
前記コントローラは、前記内燃機関の回転速度が設定値以上になったときに前記スイッチ制御回路に前記オフ指令を与えるオフ指令発生手段を備えている請求項１，２または３に記載のコンデンサ放電式内燃機関用点火装置。
【発明の詳細な説明】
【技術分野】
【０００１】
本発明は、内燃機関により駆動される磁石発電機内に設けられたエキサイタコイルの出力で点火用コンデンサを充電するようにしたコンデンサ放電式の内燃機関用点火装置に関するものである。
【背景技術】
【０００２】
内燃機関により駆動される車両等にバッテリが搭載されない場合には、いわゆるバッテリレスの内燃機関用点火装置が用いられる。
バッテリレスのコンデンサ放電式内燃機関用点火装置は、内燃機関により駆動される磁石発電機内に設けられたエキサイタコイルと、点火コイルの一次側に設けられてエキサイタコイルの一方の極性の半波の出力電圧で充電される点火用コンデンサと、点火信号が与えられたときに導通して点火用コンデンサに蓄積された電荷を点火コイルの一次コイルを通して放電させるように設けられた放電用スイッチと、放電用スイッチに点火信号を与えるタイミング（点火位置）を制御するコントローラと、エキサイタコイルの他方の極性の半波の出力電圧を一定の直流電圧に変換する電源回路とを備えていて、電源回路からコントローラに電源電圧を与えることにより該コントローラを動作させるようになっている。この種の点火装置は特許文献１や特許文献２に示されている。
【０００３】
バッテリレスのコンデンサ放電式内燃機関用点火装置に設ける電源回路としては、特許文献１及び２に示されているように、エキサイタコイルの半波の出力電圧が逆流阻止用ダイオードと電流制限用抵抗器とを通して印加された電源コンデンサと、該電源コンデンサの両端に接続されたツェナーダイオードとを備えたものが多く用いられている。この種の電源回路では、電源コンデンサの両端の電圧が設定値に達するまでの間ツェナーダイオードがオフ状態を保持してエキサイタコイルからダイオードと電流制限用抵抗器とを通して電源コンデンサが充電されるのを許容し、電源コンデンサの両端の電圧が設定値を超えたときにツェナーダイオードがオン状態になることにより、電源コンデンサの両端電圧を一定値に保持する。電源コンデンサの両端の電圧は通常レギュレータに入力されて、更に安定化が図られる。電源回路の出力電圧の規定値は、コントローラに設けられるマイクロコンピュータを動作させるために必要な電源電圧（通常は５［Ｖ］）に設定される。
【０００４】
この種の点火装置において、電源回路のツェナーダイオードが導通した際には、該ツェナーダイオードと逆流阻止用ダイオードと電流制限用抵抗器とを通してエキサイタコイルを短絡する短絡回路が構成される。機関の回転速度が低く、エキサイタコイルの出力電圧が低い間は、ツェナーダイオードがオン状態になる期間が短く、上記短絡回路で消費される電力量が少ないが、機関の回転速度が高くなり、エキサイタコイルの出力電圧が高くなると、ツェナーダイオードがオン状態になる期間が長くなり、上記短絡回路で消費される電力が多くなる。通常、エキサイタコイルの一方の極性の半波の出力で点火用コンデンサを充電し、他方の極性の半波の出力で電源用コンデンサを充電するようにしているが、この場合でも、エキサイタコイルから上記短絡回路を通して大きな電流が流れると、その電機子反作用によりエキサイタコイルの出力電圧が低下するため、機関の高速回転時に点火用コンデンサの充電電圧が低下して点火コイルの二次コイルの誘起電圧が低下し、点火性能が低下する傾向がある。
【０００５】
電源回路が点火性能に与える影響は、電源回路のインピーダンスによっても相違する。電流制限用抵抗器の抵抗値が大きく、電源回路のインピーダンスが高い場合には、上記短絡回路を流れる電流が小さくなるため、電源回路が点火性能に与える影響は小さいが、電流制限用抵抗器の抵抗値が小さく、電源回路のインピーダンスが低い場合には、機関の高速回転時に短絡回路を通して大きな電流が流れ、発電機の電機子反作用が大きくなるため、機関の高速時に点火用コンデンサの充電電圧Ｖcが大きく低下し、点火性能が低下する。
【０００６】
上記のような電源回路を設けたコンデンサ放電式の点火装置において、点火用コンデンサの充電電圧Ｖcと機関の回転速度Ｎeと間の関係を与える特性は、図３に示したようになる。同図において曲線ａは電源回路のインピーダンスが低い場合の特性を示し、曲線ｂは電源回路のインピーダンスが高い場合の特性を示している。
【０００７】
また電源回路のインピーダンスが高いと、電源コンデンサの両端の電圧の立上りが遅れるため、電源回路の出力電圧がコントローラを動作させるために必要な規定値まで立ち上がる回転速度Ｎsが高くなる。
【０００８】
また電源回路の出力電圧Ｖccと機関の回転速度Ｎeとの関係を与える特性は図４に示した通りである。同図において曲線ａは電源回路のインピーダンスが低い場合の特性を示し、曲線ｂは電源回路のインピーダンスが高い場合の特性を示している。
【０００９】
またエキサイタコイルから電源回路を見たインピーダンスと点火用コンデンサの充電電圧Ｖcとの間の関係及びエキサイタコイルから電源回路を見たインピーダンスと電源回路の出力電圧がコントローラを動作させるために必要な規定値（通常は５［Ｖ］）まで立ち上がる回転速度Ｎsとの間の関係は共に図５に示した曲線のようになる。
【００１０】
即ち、機関の高速回転時に点火用コンデンサの充電電圧Ｖcを高くして点火性能を高めるためには、電流制限用抵抗器の抵抗値を高くして電源回路のインピーダンスを高くしておくことが望ましいが、電源回路のインピーダンスを高くすると、機関の始動操作開始直後に電源回路の出力電圧が規定値まで立上る回転速度Ｎsが高くなるため、コントローラが動作を開始する回転速度が高くなってしまい、機関の極低速回転時に点火位置を制御することができなくなる。またコントローラが動作を開始する回転速度Ｎsを低くするために、電流制限用抵抗器の抵抗値を大きく設定して電源回路のインピーダンスを高く設定すると、機関の高速回転時に点火用コンデンサの充電電圧Ｖcが低くなり、高速回転時の点火性能が低下する傾向になる。
【特許文献１】特開平７−３０５６７４号公報
【特許文献２】特開２００３−１３８２９号公報
【発明の開示】
【発明が解決しようとする課題】
【００１１】
上記のように、エキサイタコイルの一方の極性の半波の出力電圧で点火用コンデンサを充電し、他方の半波の出力電圧で電源回路のコンデンサを充電するようにしたバッテリレスのコンデンサ放電式内燃機関用点火装置においては、機関の高速回転時に点火用コンデンサの充電電圧Ｖcを高くして点火性能を高めるために、電流制限用抵抗器の抵抗値を高く設定すると、電源回路の出力電圧が規定値まで立上る回転速度Ｎsが高くなってコントローラが動作を開始する回転速度が高くなり、機関の極低速回転時に点火位置を制御することができなくなるという問題があった。またコントローラが動作を開始する回転速度Ｎsを低くするために、電流制限用抵抗器の抵抗値を大きく設定すると、機関の高速回転時に点火用コンデンサの充電電圧Ｖcが低くなり、点火性能が低下するという問題があった。
【００１２】
本発明の目的は、電源回路の出力電圧の立上がりを速くして極低速時にもコントローラによる制御を可能にしたいという要請と、機関の高速回転時に高い点火性能を得たいという要請との双方に応えることができるようにしたコンデンサ放電式内燃機関用点火装置を提供することにある。
【００１３】
本発明の他の目的は、点火位置を制御するコントローラが動作を開始する回転速度を低くして、極低速回転時からコントローラによる点火位置の制御を可能にし、しかも機関の高速回転時まで高い点火性能を得ることができるようにしたバッテリレスのコンデンサ放電式内燃機関用点火装置を提供することにある。
【課題を解決するための手段】
【００１４】
本発明は、内燃機関により駆動される磁石発電機内に設けられたエキサイタコイルと、点火コイルの一次側に設けられてエキサイタコイルの一方の極性の半波の出力電圧で充電される点火用コンデンサと、点火信号が与えられたときに導通して点火用コンデンサに蓄積された電荷を点火コイルの一次コイルを通して放電させるように設けられた放電用スイッチと、内燃機関の点火位置で放電用スイッチに点火信号を与えるコントローラと、エキサイタコイルの他方の極性の半波の出力電圧を一定の直流電圧に変換する電源回路とを備えて、電源回路からコントローラに電源電圧が与えられるコンデンサ放電式内燃機関用点火装置を対象とする。
【００１５】
本発明においては、上記電源回路が、エキサイタコイルの他方の極性の半波の出力電圧が第１の逆流阻止用ダイオードと第１の電流制限用抵抗器とを通して印加された電源コンデンサと、該電源コンデンサの両端に接続されて電源コンデンサの両端の電圧が設定値を超えたときに導通するツェナーダイオードと、エキサイタコイルが他方の極性の半波の出力電圧を発生したときに駆動信号が与えられてオン状態になるインピーダンス切換用スイッチと第２の逆流阻止用ダイオードとを通して第１の電流制限用抵抗器の両端に並列に接続された第２の電流制限用抵抗器と、オフ指令が与えられるまでの間インピーダンス切換用スイッチに駆動信号が与えられるのを許容し、オフ指令が与えられたときにインピーダンス切換用スイッチへの駆動信号の供給を禁止するようにインピーダンス切換用スイッチへの駆動信号の供給を制御するスイッチ制御回路とを備えていて、スイッチ制御回路にオフ指令を与えることにより、エキサイタコイルから電源回路を見たインピーダンスを低い値から高い値に切り換えることができるように構成されている。
【００１６】
上記インピーダンス切換用スイッチは、サイリスタやＦＥＴにより構成することができる。
【００１７】
上記のように構成すると、スイッチ制御回路にオフ指令を与えない状態では、第２の電流制限用抵抗器がインピーダンス切換用スイッチを通して第１の電流制限用抵抗器に並列に接続されるため、電源コンデンサの充電時定数を決定する抵抗値が第１及び第２の電流制限用抵抗器の並列合成抵抗値となり、エキサイタコイルから見た電源回路のインピーダンスが低くなる。従って、スイッチ制御回路にオフ指令を与えないときに電源回路の出力電圧の立上がりを速くして、機関の極低速回転時からコントローラを動作させるために必要な電源電圧を得ることができる。
【００１８】
また上記のように構成すると、スイッチ制御回路にオフ指令を与えることにより、第２の電流制限用抵抗器を第１の電流制限用抵抗器から切り離して、エキサイタコイルから見た電源回路のインピーダンスを高くすることができる。従って、スイッチ制御回路にオフ指令を与えることにより、機関の高速回転時に点火用コンデンサの充電電圧を高くする特性を得ることができ、高速回転時の点火性能を向上させることができる。
【００１９】
本発明の好ましい態様では、上記コントローラに、内燃機関の回転速度が設定値以上になったときにスイッチ制御回路にオフ指令を与えるオフ指令発生手段が設けられる。
【００２０】
上記のようにコントローラにオフ指令発生手段を設けると、内燃機関の始動操作開始直後の極低速回転領域では、電源回路のインピーダンスを低くして、電源回路の出力の立上がりを速くすることができるため、点火位置を制御するコントローラが動作を開始する回転速度を低くして、極低速回転時からコントローラによる点火位置の制御を可能にすることができる。また機関の回転速度が設定値以上になると、電源回路のインピーダンスが高い値に自動的に切り換えられるため、機関の高速回転時まで高い点火性能を得ることができる。
【発明の効果】
【００２１】
以上のように、本発明によれば、スイッチ制御回路にオフ指令を与えないときに第２の電流制限用抵抗器を第１の電流制限用抵抗器に対して並列に接続して、エキサイタコイルから見た電源回路のインピーダンスを低くすることができるため、電源回路の出力電圧の立上りを速くすることが必要とされる場合にその要請に応えることができる。またスイッチ制御回路にオフ指令を与えることにより、第２の電流制限用抵抗器を第１の電流制限用抵抗器から切り離して、電源回路のインピーダンスを高い値に切り換えることができるため、機関の高速回転時に点火用コンデンサの充電電圧を高くすることが必要とされる場合に、その要請に応えることができる。
【００２２】
また本発明において、内燃機関の回転速度が設定値以上になったときにスイッチ制御回路にオフ指令を与えるオフ指令発生手段をコントローラに設けた場合には、内燃機関の始動操作開始直後の極低速回転領域で電源回路のインピーダンスを低くして、電源回路の出力の立上がりを速くすることができるため、点火位置を制御するコントローラが動作を開始する回転速度を低くして、極低速回転時からコントローラによる点火位置の制御を可能にすることができる。また機関の回転速度が設定値以上になる領域では、電源回路のインピーダンスが高い値に自動的に切り換えられるため、機関の高速回転時まで高い点火性能を得ることができる。
【発明を実施するための最良の形態】
【００２３】
以下図面を参照して本発明の好ましい実施形態について詳細に説明する。
図１は本発明の実施形態の構成を示したもので、同図において１は内燃機関により駆動される磁石式交流発電機に設けられたエキサイタコイルである。この例で用いる発電機は、機関のクランク軸に取り付けられたフライホイールの外周に永久磁石を取り付けて３極の磁石界磁を構成した磁石回転子を備えていて、エキサイタコイル１には、図６（Ａ）に示すように、磁石回転子がクランク軸とともに１回転する間に、第１の負の半波の電圧Ｖn1と正の半波の電圧Ｖp と第２の負の半波の電圧Ｖn2とが順に現れる１サイクル半の交流電圧Ｖｅを出力する。図６の横軸のθはクランク軸の回転角度（クランク角）を示している。
【００２４】
図１において２は、一端が接地された一次コイル２ａ 及び二次コイル２ｂを有する点火コイルで、点火コイル２の一次コイル２ａの他端及び二次コイル２ｂの他端はそれぞれ、点火用コンデンサ３の一端及び図示しない内燃機関の気筒に取り付けられた点火プラグ４の非接地側端子に接続されている。
【００２５】
点火用コンデンサ３の他端は、カソードを接地したサイリスタ５のアノードに接続されるとともに、カソードを該点火用コンデンサ側に向けたダイオード６を通してエキサイタコイル１の一端に接続されている。エキサイタコイル１の一端及び他端はそれぞれアノードが接地されたダイオード７及び８のカソードに接続されている。またサイリスタ５の両端にはアノードを接地側に向けたダイオード９が接続され、サイリスタ５のゲートカソード間には抵抗１０及びコンデンサ１１が並列に接続されている。
【００２６】
図示の例では、サイリスタ５により放電用スイッチが構成され、この放電用スイッチと点火コイル２と点火用コンデンサ３とダイオード６及び９と抵抗１０及びコンデンサ１１とによりコンデンサ放電式の点火回路１２が構成されている。またエキサイタコイル１とダイオード７及び８とにより点火用コンデンサ３を充電する充電用電源部１３が構成されている。
【００２７】
図示の点火回路１２においては、エキサイタコイル１が図示の実線矢印方向の正の半波（一方の極性の半波）の出力電圧Ｖpを発生したときに、エキサイタコイル１からダイオード６と点火コイルの一次コイル２ａとダイオード８とを通して点火用コンデンサ３に充電電流が流れて該点火用コンデンサが図示の極性に充電される。点火用コンデンサ３が図示の極性に充電されて、サイリスタ５のアノードカソード間に順方向電圧が印加されている状態で後記する回路からサイリスタ５に点火信号Ｖi が与えられると、サイリスタ５が導通するため、点火用コンデンサ３に蓄積された電荷がサイリスタ５と点火コイルの一次コイル２ａとを通して放電する。これにより点火コイルの二次コイル２ｂに点火用高電圧が誘起する。この高電圧は点火プラグ４に印加されるため、該点火プラグで火花が生じて機関が点火される。
【００２８】
図示の例では、サイリスタ５に点火信号を与えるタイミング（点火位置）を制御するため、機関の回転速度に対して演算された点火位置で点火信号を出力するマイクロコンピュータ２０Ａを備えたコントローラ２０と、機関の始動時及び極低速時に点火信号を出力する極低速時点火制御回路２１とが設けられ、コントローラ２０及び極低速時点火制御回路２１がそれぞれ出力する点火信号がオア回路２２を通してサイリスタ５のゲートに入力されている。また機関の回転速度が設定回転速度を超えているときに極低速時点火制御回路２１から点火回路１２に与えられる点火信号をキャンセルするために、キャンセル回路２３が設けられている。更にコントローラ２０及び極低速時点火制御回路２１に機関のクランク角情報を与えるため、エキサイタコイル１の負の半波（他方の極性の半波）の出力電圧を波形整形して、クランク角情報を有する矩形波状のパルス信号を発生する波形整形回路２４が設けられ、コントローラ２０、極低速時点火制御回路２１及び波形整形回路２４に電源電圧を与えるために、エキサイタコイル１の負の半波の出力電圧を一定の直流電圧Ｖccに変換する電源回路２５が設けられている。
【００２９】
電源回路２５を構成するため、エキサイタコイル１の他端に第１の逆流阻止用ダイオード２６のアノードが接続され、該ダイオード２６のカソードに第１の電流制限用抵抗器２７の一端が接続されている。電流制限用抵抗器２７の他端と接地間に電源コンデンサ２８が接続され、エキサイタコイル１の負の半波の出力電圧Ｖn1及びＶn2により第１の逆流阻止用ダイオード２６と第１の電流制限用抵抗器２７とを通して電源コンデンサ２８が図示の極性に充電されるようになっている。電源コンデンサ２８の両端にはアノードを接地側に向けたツェナーダイオード２９が接続され、電源コンデンサ２８の両端の電圧がツェナーダイオード２９のツェナー電圧以下に制限されるようになっている。
【００３０】
電源コンデンサ２８の両端の電圧はレギュレータ３０に入力され、レギュレータ３０の出力電圧が出力コンデンサ３１に印加されている。レギュレータ３０は規定値に保たれた直流電圧Ｖccを出力する周知の３端子レギュレータで、電源コンデンサ２８の両端の電圧が規定値以上であるときに、規定値に等しい一定の電源電圧Ｖcc（この例では５［Ｖ］）を出力する。なお当然のことながら、ツェナーダイオード２９のツェナー電圧は、電源回路２５から出力させる電源電圧Ｖcc以上に設定されている。
【００３１】
上記第１の逆流阻止用ダイオード２６、第１の電流制限用抵抗器２７、電源コンデンサ２８、ツェナーダイオード２９、レギュレータ３０及びコンデンサ３１からなる部分は、従来のこの種の点火装置において電源回路を構成していた部分である。本発明で用いる電源回路２５においては、従来用いられていた電源回路の構成に加えて更に、エキサイタコイルが負の半波の出力電圧を発生したときに駆動信号が与えられてオン状態になるインピーダンス切換用スイッチ３２と、該インピーダンス切換用スイッチと第２の逆流阻止用ダイオード３３とを通して第１の電流制限用抵抗器２７の両端に並列に接続された第２の電流制限用抵抗器３４と、オフ指令が与えられるまでの間インピーダンス切換用スイッチ３２に駆動信号が与えられるのを許容し、オフ指令が与えられたときにインピーダンス切換用スイッチ３２に駆動信号が与えられるのを禁止するように、インピーダンス切換用スイッチへの駆動信号の供給を制御するスイッチ制御回路３５とが設けられている。
【００３２】
図示の例では、アノードがエキサイタコイル１の他端に接続されたサイリスタ３６によりインピーダンス切換用スイッチ３２が構成されていて、このサイリスタ３６のカソードが第２の逆流阻止用ダイオード３３のアノードに接続され、第２の逆流阻止用ダイオード３３のカソードと電源コンデンサ２８の非接地側の端子との間に第２の電流制限用抵抗器３４が接続されている。サイリスタ３６のゲートカソード間には抵抗器３７とコンデンサ３８とが接続され、サイリスタ３６のゲートとアノードとの間に抵抗器３９が接続されている。サイリスタ３６は、エキサイタコイル１が負の半波の出力電圧Ｖn1及びＶn2を発生したときに抵抗器３９を通してゲート信号（駆動信号）が与えられて導通状態になる。
【００３３】
スイッチ制御回路３５は、サイリスタ３６のゲートにコレクタが接続され、エミッタが接地されたＮＰＮトランジスタ４０と、該トランジスタのベースエミッタ間に接続された抵抗器４１と、トランジスタ４０のベースに一端が接続された抵抗器４２とからなっており、抵抗器４２の他端はマイクロコンピュータ２０ＡのポートＡ4に接続されている。
【００３４】
後記するように、マイクロコンピュータ２０Ａは、機関の回転速度が設定値未満のときにポートＡ4の電位をＬレベル（ローレベル）にしており、回転速度が設定値以上になったときにポートＡ4の電位をＨレベル（ハイレベル）にしてオフ指令を発生する。マイクロコンピュータ２０ＡのポートＡ4の電位がＬレベルになっているときには、トランジスタ４０がオフ状態を保持してエキサイタコイル１からサイリスタ３６にゲート信号（駆動信号）が与えられるのを許容する。マイクロコンピュータ２０ＡのポートＡ4の電位がＨレベルになったときには、トランジスタ４０がオン状態になって、エキサイタコイル１からサイリスタ３６に与えられるゲート信号がトランジスタ４０を通してサイリスタ３６から側路されるため、サイリスタ３６へのゲート信号の供給が禁止される。
【００３５】
機関の回転速度が低く、マイクロコンピュータ２０Ａの電源が確立していないとき及びマイクロコンピュータの電源が確立していても、機関の回転速度が設定値未満であるときにはポートＡ4の電位がＬレベル（ローレベル）になっているため、トランジスタ４０はオフ状態にある。この状態では、エキサイタコイル１が負の半波の出力電圧を発生する毎にエキサイタコイルから抵抗器３９を通してサイリスタ３６にゲート信号が与えられるため、エキサイタコイルが負の半波の出力電圧を発生する毎にサイリスタ３６が導通状態になる。従って、第２の電流制限用抵抗器３４が第１の電流制限用抵抗器２７に並列に接続された状態になり、エキサイタコイル１から見た電源回路のインピーダンスが低下する。このとき電源コンデンサ２８の充電時定数が小さくなるため、電源コンデンサ２８の両端の電圧は速やかに立ち上がる。電源コンデンサ２８の両端の電圧が設定値を超えるとツェナーダイオード２９がオン状態になるため、電源コンデンサ２８の両端の電圧は設定値（ツェナーダイオード２９のツェナー電圧）以下に保たれる。ツェナーダイオード２９がオン状態にある間、ダイオード２６及び電流制限用抵抗器２７の直列回路と、サイリスタ３６、ダイオード３３及び電流制限用抵抗器３４の直列回路との並列回路とツェナーダイオード２９とにより、エキサイタコイル１の負の半波の出力を短絡する短絡回路が構成される。
【００３６】
機関の回転速度が設定値以上になり、マイクロコンピュータ２０ＡがポートＡ4の電位をＨレベルにしてオフ指令を発生すると、エキサイタコイル１が負の半波の出力電圧を発生したときにトランジスタ４０がオン状態になって、エキサイタコイル１から抵抗器３９を通してサイリスタ３６に与えられるゲート信号を該サイリスタから側路するため、サイリスタ３６にゲート信号が与えられなくなり、サイリスタ３６がオン状態になることができなくなる。この状態では、第２の電流制限用抵抗器３４が第１の電流制限用抵抗器２７から切り離されるため、エキサイタコイル１から見た電源回路のインピーダンスが高くなる。このとき電源コンデンサ２８の充電時定数が大きくなるが、エキサイタコイル１が十分に高い電圧を出力する状態になっているので、電源コンデンサ２８の充電が間に合わなくなることはない。またツェナーダイオード２９がオン状態になったときにダイオード２６及び抵抗器２７の直列回路とツェナーダイオード２９とによりエキサイタコイルの負の半波の出力を短絡する短絡回路が構成されるが、抵抗器３４が切り離されていることによりこの短絡回路のインピーダンスは大きくなっているため、該短絡回路を通して流れる電流は制限される。従って、機関の高速回転時に、短絡回路を通して流れる電流により生じる電機子反作用を抑制することができ、機関の高速回転時に点火用コンデンサ３の充電電圧Ｖcが大きく低下するのを防ぐことができる。
【００３７】
図１に示した波形整形回路２４は、エキサイタコイル１の他端に一端が接続されたコンデンサ４５と、該コンデンサ４５に並列に接続された抵抗値が十分に大きい抵抗器４６と、コンデンサ４５の他端に抵抗器４７を通してベースが接続され、エミッタが接地されたＮＰＮトランジスタ４８と、トランジスタ４８のコレクタと電源回路２５の正極側の出力端子との間に接続されたプルアップ抵抗器４９と、トランジスタ４８のコレクタに一端が接続された抵抗器５０とからなっている。この波形整形回路２４においては、コンデンサ４５と抵抗器４７との接続点及び抵抗器５０の他端からそれぞれ第１及び第２の出力端子２４ａ及び２４ｂが導出されている。
【００３８】
波形整形回路２４は、エキサイタコイル１の負の半波の電圧Ｖn1及びＶn2のそれぞれの立ち上がり側の零点及びピーク点を検出して、出力端子２４ａから図６（Ｂ）に示すような矩形波状のパルス信号Ｖq1及びＶq2を出力し、出力端子２４ｂから図６（Ｃ）に示すような矩形波状のパルス信号Ｖq1´及びＶq2´を出力する。第１の出力端子２４ａを通して出力されるパルス信号は極低速時点火制御回路２１に与えられ、第２の出力端子２４ｂを通して出力されるパルス信号はマイクロコンピュータ２０ＡのポートＡ1に入力されている。
【００３９】
波形整形回路２４の動作は下記の通りである。すなわち、図６（Ａ）に示すように、エキサイタコイル１が負の半波の電圧Ｖn1またはＶn2を発生すると、コンデンサ４５と抵抗器４７とトランジスタ４８のベースエミッタ間とを通して電流が流れる。このとき出力端子２４ａから図６（Ｂ）に示すようなパルス信号Ｖq1またはＶq2が発生する。また出力端子２４ｂの電位が低下するため、ＨレベルからＬレベルに立ち下がるパルス信号Ｖq1´が発生する。負の半波の電圧Ｖn1またはＶn2がピークに達すると、コンデンサ４５に充電電流が流れなくなるため、トランジスタ４８が遮断状態になる。このとき出力端子２４ａから出力されていたパルス信号Ｖq1またはＶq2が消滅し、出力端子２４ｂの電位がＨレベルに立ち上がる。
【００４０】
したがって、波形整形回路２４は、エキサイタコイル１が第１の負の半波の電圧Ｖn1を発生したときに、該電圧Ｖn1の立上り側のゼロ点及びピーク点にそれぞれ立上り側のエッジ及び立ち下がり側のエッジが一致する第１のパルス信号Ｖq1を出力端子２４ａから出力し、第２の負の半波の電圧Ｖn2が発生したときに、該電圧Ｖn2の立上り側のゼロ点及びピーク点にそれぞれ立上り側のエッジ及び立ち下がり側のエッジが一致する第２のパルス信号Ｖq2を出力端子２４ａから出力する。
【００４１】
またエキサイタコイル１が第１の負の半波の電圧Ｖn1を発生したときに、該電圧Ｖn1の立上り側のゼロ点及びピーク点にそれぞれ立下りのエッジ及び立ち上がりのエッジが一致する第１のパルス信号Ｖq1´を出力端子２４ｂから出力し、第２の負の半波の電圧Ｖn2が発生したときに、該電圧Ｖn2の立上り側のゼロ点及びピーク点にそれぞれ立下りのエッジ及び立ち上がりのエッジが一致する第２のパルス信号Ｖq2´を出力端子２４ｂから出力する。
【００４２】
上記のように、機関のクランク軸と同期回転する磁石式交流発電機の負の半波の電圧を波形整形することにより矩形波状の制御信号を発生させると、パルス信号Ｖq1（またはＶq1´），Ｖq2（またはＶq2´）のエッジ位置θ11，θ21、及びθ12，θ22が、クランク軸の特定の回転角度位置に対応することになる。
【００４３】
本実施形態では、エキサイタコイル１の負の半波の出力電圧を波形整形することにより得た第１のパルス信号Ｖq1，Ｖq1´及び第２のパルス信号Ｖq2，Ｖq2´のエッジから内燃機関の回転情報（回転角度位置の情報及び回転速度情報）を得て、始動時及び極低速時の点火位置を定めるとともに、定常運転時の点火位置の演算と、演算した点火位置の検出とを行う。
【００４４】
機関の始動時及び極低速時の点火位置を定めるため、いずれかのパルス信号の立上りまたは立下がりのエッジの位置を機関の始動時及び極低速時の点火位置として適した位置に設定しておく。機関の始動時及び極低速度の点火位置は、通常上死点位置（ピストンが上死点に達する時のクランク軸の回転角度位置）より僅かに進角した位置である。
【００４５】
機関の始動時及び極低速時に点火動作を行わせるには、エキサイタコイル１の正の半波の電圧Ｖp により点火用コンデンサ３が充電された後に、放電用スイッチを構成するサイリスタ５に点火信号Ｖi を与える必要がある。したがって、上記パルス信号の内、第２のパルス信号Ｖq2の立上りのエッジ位置θ21または立下がりのエッジ位置θ22（パルス信号Ｖq2´の立下りのエッジ位置θ21または立上りのエッジ位置θ22）を機関の始動時及び極低速時の点火位置に一致させておく。
【００４６】
図１に示した例では、パルス信号Ｖq2の立下がり（パルス信号Ｖq2´の立上り）のエッジ位置θ22を始動時及び極低速時の点火位置に一致させるように、磁石回転子４及び固定子７を機関に取り付けてある。
【００４７】
定常運転時の点火位置を演算するためには、機関の回転速度の情報を含むデータを必要とする。機関の回転速度の情報を含むデータとしては、各パルス信号の発生周期、各パルス信号の信号幅、または２つのパルス信号の発生間隔等、クランク軸が一定の角度回転するのに要する時間を用いることができる。
【００４８】
また定常運転時に演算した点火位置で点火動作を行わせるためには、演算した点火位置を検出できるようにしておく必要がある。そのため、クランク軸の基準となる回転角度位置を基準位置として定めておいて、演算された回転速度において基準位置から点火位置まで機関が回転するのに要する時間を点火タイマ計時データＴigとして演算する。そして、基準位置が検出された時に点火タイマに点火タイマ計時データＴigをセットしてその計測をスタート開始させ、その計測が完了したときに点火信号を発生させる。
【００４９】
基準位置は、計測すべき点火位置よりも、点火位置の進角幅以上位相が進んだ位置であればよいが、点火位置の検出精度を高めるためには、点火位置にできるだけ近い位置で発生するパルス信号のエッジ位置を基準位置とするのが好ましい。ここでは、第１のパルス信号Ｖq1´の立上がりのエッジ位置（Ｖq1の立下がりエッジ位置と同じ）θ12を基準位置として設定し、この基準位置で発生するパルス信号Ｖq1´を基準信号とする。
【００５０】
波形整形回路２４の出力端子２４ａから得られるパルス信号Ｖq1及びＶq2は、エミッタが接地されたＮＰＮトランジスタ５１のベースエミッタ間に抵抗器５２を通して印加されている。トランジスタ５１のコレクタは抵抗５３を通して電源回路２５の非接地側の出力端子に接続されるとともに、点火信号供給用コンデンサ５４の一端に接続され、該コンデンサ５４の他端は抵抗器５５と、アノードをコンデンサ５４側に向けたダイオード５６とを通してサイリスタ５のゲートに接続されている。またコンデンサ５４の他端と接地間にアノードが接地されたダイオード５７が接続されている。
【００５１】
この例では、トランジスタ５１とコンデンサ５４と抵抗５２及び５３とダイオード５７とにより、極低速時点火制御部２１が構成され、この極低速時点火制御部が出力する信号が抵抗器５５とダイオード５６とを通して放電用サイリスタＴhiのゲートに点火信号Ｖiとして与えられる。
【００５２】
図示の極低速時点火制御部２１の動作は次の通りである。パルス信号Ｖq1またはＶq2が立上がってトランジスタＴＲ3 が導通すると、コンデンサ５４に蓄積されていた電荷がトランジスタ５１のコレクタエミッタ間とダイオード５７とを通して瞬時に放電する。パルス信号が高レベルの状態にあって、トランジスタ５１が導通している状態では、コンデンサ５４の充電電流がトランジスタ５１を通してコンデンサ５４から側路されるため、コンデンサ５４の充電が阻止される。この状態で与えられていたパルス信号Ｖq1またはＶq2が立下がり、トランジスタ５１が遮断状態になると、電源回路２５の出力電圧により抵抗５３とコンデンサ５４と抵抗器５５とダイオード５６とサイリスタ５のゲートカソード間とを通して電流が流れてコンデンサ５４が充電される。このコンデンサ５４の充電電流によりサイリスタ５に点火信号が与えられる。極低速時点火制御部２１からサイリスタ５に与えられる点火信号は、コンデンサ５４の充電が完了して充電電流が流れなくなったときに消滅する。
【００５３】
図示の極低速時点火制御部２１は、上記のようにして、パルス信号Ｖq1またはＶq2の立下がりのエッジでサイリスタ５に信号幅が制限された点火信号を与える。上記極低速時点火制御部２１が、エキサイタコイルの正の半波の電圧Ｖp よりも位相が進んだ第１のパルス信号Ｖq1の立下がりのエッジでサイリスタ５に点火信号を与えた時には、未だ点火用コンデンサ３が充電されていないため、点火動作は行われない。エキサイタコイル１が正の半波の電圧Ｖp を発生して点火用コンデンサ３が充電された後、第２のパルス信号Ｖq2の立下がりのエッジでサイリスタ５に点火信号が与えられると、該サイリスタ５が導通して点火用コンデンサ３の電荷を点火コイル２の一次コイル２ａを通して放電させ、点火動作を行わせる。パルス信号Ｖq1の立下がりエッジで発生する点火信号は無駄な信号となるが、点火動作には影響を与えない。
【００５４】
定常運転時の回転速度の演算、点火位置の演算及び演算した点火位置の検出を行わせるため、ＣＰＵやＲＯＭ，ＲＡＭあるいはタイマ等からなるマイクロコンピュータ２０Ａを備えたコントローラ２０が設けられ、波形整形回路２４の出力端子２４ｂから得られる第１及び第２のパルス信号Ｖq1´，Ｖq2´がマイクロコンピュータ２０ＡのポートＡ1 に入力されている。マイクロコンピュータ２０Ａの電源端子２０ａは電源回路２５の正極側の出力端子に接続されていて、電源回路２５の出力電圧Ｖccが確立したときにマイクロコンピュータ２０Ａが動作可能な状態になるようになっている。
【００５５】
マイクロコンピュータ２０Ａは、ポートＡ1 に入力される信号の認識モードを、立上りのエッジを認識する第１のモードと、立下がりのエッジを認識する第２のモードとに切り替えるようにプログラムされていて、順次入力されるパルス信号Ｖq1´及びＶq2´の各エッジのうち、機関の回転情報を得るために必要なエッジを認識する。本実施形態では、パルス信号Ｖq1´の立下り及び立上りのエッジと、パルス信号Ｖq2´の立下りのエッジとを認識するようにしている。
【００５６】
マイクロコンピュータ２０Ａは、その電源電圧が確立して動作可能な状態になったときに、先ず波形整形回路２４から与えられる一連のパルス信号のいずれが第１のパルス信号で、いずれが第２のパルス信号であるのかを判別するための処理を行う。第１のパルス信号Ｖq1´及び第２のパルス信号Ｖq2´の判別は、第１のパルス信号Ｖq1´が発生してから第２のパルス信号Ｖq2´が発生するまでの時間Ｔ2と第２のパルス信号Ｖq2´が発生してから次の第１のパルス信号Ｖq1´が発生するまでの時間Ｔ1との間にＴ1 ＞＞Ｔ2 の関係があることを利用して行うことができる。このように、マイクロコンピュータの一つのポートによりパルス信号の立上りのエッジと立下がりのエッジとを認識するようにしておくと、パルス信号Ｖq1´及びＶq2´をそれぞれ別のポートから読み込んで認識する場合に比べて、必要とするポート数を少なくすることができるため、マイクロコンピュータとして安価なものを用いることができる。
【００５７】
マイクロコンピュータ２０Ａは、波形整形回路から与えられるパルス信号の発生間隔から機関のクランク軸が一定の角度回転するのに要する時間を検出して、この時間から機関の回転速度を求め、求めた回転速度に対して点火位置を演算する。そして、基準位置θ11で基準信号（第１のパルス信号Ｖq1´）が発生したときに演算した点火位置を検出するための計時データを点火タイマにセットしてその計測を開始させ、その計測が完了したときにポートＡ2の電位をＨレベルにして点火信号を発生する。ポートＡ2 から出力される点火信号は抵抗器５８とカソードをサイリスタ５側に向けたダイオード５９とを通してサイリスタ５のゲートに与えられる。この例では、抵抗器５５及び５８とダイオード５６及び５９とにより、極低速時点火制御部２１の出力またはコントローラ２０の出力を点火信号としてサイリスタ５のゲートに与えるオア回路２２が構成されている。
【００５８】
オア回路２２を構成する一方の抵抗器５５とコンデンサ５４との接続点と接地間にキャンセルスイッチ２３が接続されている。図示のキャンセルスイッチ２３は、エミッタが接地されコレクタが抵抗器５５とコンデンサ５４との接続点に接続されたＮＰＮトランジスタ６０からなり、このトランジスタ６０のベースには、マイクロコンピュータ２０のポートＡ3 から抵抗器６１を通してキャンセル指令信号が入力されている。
【００５９】
マイクロコンピュータ２０Ａは、機関の回転速度が設定速度を超えているときに、第１のパルス信号Ｖq1´の立下りのエッジ位置θ11（基準位置）が認識されてから第２のパルス信号Ｖq2´の立下りのエッジ位置θ21が認識されるまでの間キャンセル指令を発生するキャンセル指令発生手段を構成するようにプログラムされていて、キャンセル指令が発生している間に極低速時点火制御部２１が始動時及び極低速時用の点火信号を出力した時にトランジスタ６０が導通して、該点火信号をサイリスタ５から側路するようになっている。
【００６０】
本発明においてはまた、マイクロコンピュータ２０Ａに所定のプログラムを実行させることにより、内燃機関の回転速度が設定値以上になったときにポートＡ4の電位をＨレベル（ハイレベル）にしてスイッチ制御回路４０にオフ指令を与えるオフ指令発生手段を構成する。このようにコントローラ２０にオフ指令発生手段を設けておくと、内燃機関の始動操作開始直後の極低速回転領域では、前述のように、電源回路２５のインピーダンスを低くして、電源回路の出力の立上がりを速くすることができるため、点火位置を制御するコントローラが動作を開始する回転速度を低くして、極低速回転時からコントローラによる点火位置の制御を可能にすることができる。また機関の回転速度が設定値以上になると、電源回路のインピーダンスが高い値に自動的に切り換えられるため、機関の高速回転時まで高い点火性能を得ることができる。
【００６１】
上記の実施形態では、インピーダンス切換用スイッチ３２をサイリスタ３６により構成したが、図２に示したように、インピーダンス切換用スイッチ３２をＦＥＴ７０により構成することもできる。図２に示した例では、ＦＥＴ７０のドレインが第２の電流制限用抵抗器３４を通してエキサイタコイル１の他端に接続され、ソースが第２の逆流阻止用ダイオード３３を通して電源コンデンサ２８の非接地側端子に接続されている。ＦＥＴのゲートソース間にツェナーダイオード７１とコンデンサ７２とが並列に接続され、ＦＥＴのゲートとエキサイタコイル１の他端との間にアノードをエキサイタコイル側に向けたダイオード７３と抵抗器７４とが直列に接続されている。ＦＥＴ７０は、エキサイタコイル１が負の半波の出力電圧を発生したときにダイオード７３と抵抗器７４とを通してゲート電圧が与えられてオン状態にされ、マイクロコンピュータ２０ＡがポートＡ4からオフ指令を発生してトランジスタ４０をオン状態にしたときにオフ状態にされる。その他の点は図１に示した実施形態と同様である。
【００６２】
上記の実施形態では、エキサイタコイルの負の半波の出力を利用して機関のクランク角情報を含むパルス信号を得るようにしたが、機関の所定のクランク角位置（基準位置及び極低速回転時の点火位置）でパルス信号を発生する信号発生器を別途設けて、この信号発生器が発生するパルス信号から機関のクランク角情報を得る場合にも本発明を適用することができる。
【図面の簡単な説明】
【００６３】
【図１】本発明の一実施形態の構成を示した回路図である。
【図２】本発明の他の実施形態を示した回路図である。
【図３】本発明が対象とする点火装置の点火用コンデンサの充電電圧と機関の回転速度との間の関係を与える特性の一例を電源回路のインピーダンスをパラメータとして示したグラフである。
【図４】本発明が対象とする点火装置の電源回路の出力電圧と機関の回転速度との間の関係を与える特性の一例を電源回路のインピーダンスをパラメータとして示したグラフである。
【図５】本発明が対象とする点火装置の点火用コンデンサの充電電圧Ｖcと電源回路のインピーダンスとの間の関係、及び電源回路の出力電圧が確立する回転速度Ｎsと電源回路のインピーダンスとの間の関係を与えるグラフである。
【図６】本発明の実施形態においてエキサイタコイルが出力する電圧波形と、波形整形回路が出力するパルス信号の波形とを機関のクランク角に対して示した波形図である。
【符号の説明】
【００６４】
１  エキサイタコイル
２  点火コイル
３  点火用コンデンサ
５  サイリスタ（放電用スイッチ）
１２  点火回路
２０  コントローラ
２１  極低速時点火制御回路
２４  波形整形回路
２５  電源回路
２６  第１の逆流阻止用ダイオード
２７  第１の電流制限用抵抗器
２８  電源コンデンサ
２９  ツェナーダイオード
３２  インピーダンス切換用スイッチ
３３  第２の逆流阻止用ダイオード
３４  第２の電流制限用抵抗器
３５  スイッチ制御回路
３６  サイリスタ
７０  ＦＥＴ
【図１】
2005188311.tif 000003
【図２】
2005188311.tif 000004
【図３】
2005188311.tif 000005
【図４】
2005188311.tif 000006
【図５】
2005188311.tif 000007
【図６】
2005188311.tif 000008